(57)【要約】【課題】  装置の利用者のニーズに合わせた処理が施された米粒を当該装置の利用者に提供できる自動精米装置を得る。【解決手段】  自動精米装置１０では、操作室１２Ａに張込ホッパ１４が設けられており、また、機械室１２Ｂには、籾摺り機１８、石抜き機２０、精米機２２、研米機３８、及び色彩選別機４４が配置されている。張込ホッパ１４に投入された米粒の種類（籾、玄米、白米、簡易無洗米）に応じて処理選択ボタンが操作されると、この操作結果に応じて切換弁Ｖ１〜Ｖ４による米粒の搬送先が選択的に切り換えられる。このため、米粒の種類及び装置の利用者のニーズに応じて処理された米粒が集積タンク２６へ送り出されて袋２７に集積され、装置の利用者に提供される。従って、例えば、張込ホッパ１４に籾Ｍを投入して、玄米Ｇを得たい等といった装置の利用者の様々なニーズに適切に対応することができる。【選択図】        図１
2005211752.tif 000002
【特許請求の範囲】
【請求項１】
張込ホッパに投入された米粒を高揚して搬送する搬送機と、搬送された米粒を精米する精米機と、を有し、装置内に投入されたコインに応じて所定時間作動することにより、前記張込ホッパに投入された米粒を精米処理する自動精米装置において、
前記精米機によって処理された後の白米を更に研いで前記白米表面に付着している糠粉を取り除く研米機と、
処理された後の前記米粒を装置外に排出する集積タンクと、
前記搬送機に設けられ、前記高揚した米粒の搬送先を前記精米機又は前記研米機に切り換える搬送機排出口切換弁と、
前記精米機の次工程側に設けられ、前記精米機によって処理された後の白米の搬送先を前記研米機又は前記集積タンクに切り換える研米機供給切換弁と、
前記精米処理及び前記研米処理の指示を行うための操作盤に設けられ、前記搬送機排出口切換弁及び前記研米機供給切換弁の切換方向を当該各切換弁に指示する切換スイッチと、
を備えたことを特徴とする自動精米装置。
【請求項２】
張込ホッパに投入された米粒を高揚して搬送する搬送機と、搬送された米粒を精米する精米機と、を有し、装置内に投入されたコインに応じて所定時間作動することにより、前記張込ホッパに投入された米粒を精米処理する自動精米装置において、
前記精米機によって処理された後の白米が不良品であるか否か又は前記白米群に不良品が含まれるか否かを判定して選別する色彩選別機と、
処理された後の前記米粒を装置外に排出する集積タンクと、
前記搬送機に設けられ、前記高揚した米粒の搬送先を前記精米機又は前記色彩選別機に切り換える搬送機排出口切換弁と、
前記精米機の次工程側に設けられ、前記精米機によって処理された後の白米の搬送先を前記色彩選別機又は前記集積タンクに切り換える色彩選別機供給切換弁と、
前記精米処理及び前記選別処理の指示を行うための操作盤に設けられ、前記搬送機排出口切換弁及び前記色彩選別機供給切換弁の切換方向を当該各切換弁に指示する切換スイッチと、
を備えたことを特徴とする自動精米装置。
【請求項３】
張込ホッパに投入された米粒を高揚して搬送する搬送機と、搬送された米粒を精米する精米機と、を有し、装置内に投入されたコインに応じて所定時間作動することにより、前記張込ホッパに投入された米粒を精米処理する自動精米装置において、
前記精米機によって処理された後の白米を更に研いで前記白米表面に付着している糠粉を取り除く研米機と、
前記研米機によって処理された後の白米が不良品であるか否か又は前記白米群に不良品が含まれるか否かを判定して選別する色彩選別機と、
処理された後の前記米粒を装置外に排出する集積タンクと、
前記搬送機に設けられ、前記高揚した米粒の搬送先を前記精米機、前記研米機、及び前記色彩選別機のうち何れか１つに選択的に切り換える搬送機排出口切換弁と、
前記精米機の次工程側に設けられ、前記精米機によって処理された後の白米の搬送先を前記研米機又は前記色彩選別機の供給側へ切り換える研米機供給切換弁と、
前記研米機の次工程側に設けられ、前記研米機によって処理された後の白米の搬送先を前記色彩選別機又は前記集積タンクに切り換えると共に、前記研米機供給切換弁によって前記色彩選別機の供給側へ搬送された前記白米を受け継いで前記集積タンクに搬送する色彩選別機供給切換弁と、
前記精米処理、前記研米処理、及び前記選別処理の指示を行うための操作盤に設けられ、前記搬送機排出口切換弁、前記研米機供給切換弁、及び色彩選別機供給切換弁の切換方向を当該各切換弁に指示する切換スイッチと、
を備えたことを特徴とする自動精米装置。
【請求項４】
前記搬送機と前記精米機との間に設けられ、籾を籾摺り処理して玄米とする籾摺り機を備え、
前記搬送機排出口切換弁は、前記高揚した米粒の搬送先の１つに前記籾摺り機も含めて選択的に切換可能に設定した、
ことを特徴とする請求項１乃至請求項３の何れか１項記載の自動精米装置。
【請求項５】
前記籾摺り機の次工程側に設けられ、前記籾摺り機によって処理された後の玄米の搬送先を前記精米機又は前記集積タンクに切り換える精米機供給切換弁を備え、
前記切換スイッチは、前記精米機供給切換弁の切換方向を当該切換弁に指示可能に設定した、
ことを特徴とする請求項４記載の自動精米装置。
【発明の詳細な説明】
【技術分野】
【０００１】
本発明は、投入されたコインに応じて作動して玄米等の米粒を白米に処理する自動精米機に関する。
【背景技術】
【０００２】
投入されたコインに応じて作動し、投入された米粒（玄米）を白米に処理するコイン精米装置が知られている（例えば、下記特許文献１を参照）。
【０００３】
このような従来の自動精米装置では、機体の内部には精白ロールを備えた精米機が配置されている。また、機体の前面壁には米粒が投入される張込ホッパが設けられており、張込ホッパは昇降機等の搬送機器を介して精米機に連結されている。さらに機体の前面壁には、コイン投入部が設けられており、コインを投入できる。
【０００４】
この自動精米装置では、張込ホッパへ米粒を投入すると共に、コイン投入部へ所定枚数のコインを投入し、次いで運転スイッチを操作すると、投入された米粒が昇降機等によって搬送されて精米機へ供給され、さらに精米機の精白ロールが回転して精米処理され白米となって取り出される。この自動精米装置の運転は、投入されたコインの金額に応じた時間で行なわれる。
【０００５】
このように、従来の自動精米装置は、投入されたコインに応じて自動的に精米処理して白米にできる。
【０００６】
ところで、このようなコインを用いて運転できる自動精米装置では、投入された米粒を精米処理して白米として取り出すことができ、処理された白米はその後に水で洗われ（研がれ）て炊飯され、食用に供されるが、近年、当該装置の利用者は水でさっと軽く洗う（研ぐ）だけで炊飯できる白米、所謂「簡易無洗米」を得たいというニーズがある。
【０００７】
また一方、精米処理された白米の中には、例えば天候や虫の害により茶色・黒色等に変色した米が混在（混入）している場合があり、当該装置の利用者はこのような変色した白米（所謂、不良品）は不要で取り除きたい（不良な白米を除去し良品としての白米のみを得たい）というニーズがある。
【０００８】
この場合、白米として良品であるかあるいは変色等した不良品であるかは、精米処理後においてしか判別が困難である（玄米や籾の状態では、当該判別が困難である）。このため、当該装置の利用者が事前に（玄米や籾の状態で）白米としたときに不良品となる籾や玄米を判別（選別）して取り除いておくことは困難であり、このための対策が切望されていた。
【０００９】
またさらに、装置の利用者には、例えば、張込ホッパに研米処理の施されていない白米を投入して研米処理のみを行ったり、張込ホッパに白米を投入して選別処理のみを行いたい等といったニーズがある。
【００１０】
以上述べたように、装置の利用者には様々なニーズがあり、各ニーズに合わせた処理を施すための対策が望まれていた。
【特許文献１】特開２００３−２４８０４号公報
【発明の開示】
【発明が解決しようとする課題】
【００１１】
本発明は、上記問題点に鑑み、装置の利用者のニーズに合わせた処理が施された米粒を当該装置の利用者に提供できる自動精米装置を得ることを目的とする。
【課題を解決するための手段】
【００１２】
請求項１に記載の発明に係る自動精米装置は、張込ホッパに投入された米粒を高揚して搬送する搬送機と、搬送された米粒を精米する精米機と、を有し、装置内に投入されたコインに応じて所定時間作動することにより、前記張込ホッパに投入された米粒を精米処理する自動精米装置において、前記精米機によって処理された後の白米を更に研いで前記白米表面に付着している糠粉を取り除く研米機と、処理された後の前記米粒を装置外に排出する集積タンクと、前記搬送機に設けられ、前記高揚した米粒の搬送先を前記精米機又は前記研米機に切り換える搬送機排出口切換弁と、前記精米機の次工程側に設けられ、前記精米機によって処理された後の白米の搬送先を前記研米機又は前記集積タンクに切り換える研米機供給切換弁と、前記精米処理及び前記研米処理の指示を行うための操作盤に設けられ、前記搬送機排出口切換弁及び前記研米機供給切換弁の切換方向を当該各切換弁に指示する切換スイッチと、を備えたことを特徴とする。
【００１３】
請求項１に記載の発明に係る自動精米装置では、切換スイッチが操作されると、搬送機排出口切換弁及び研米機供給切換弁の切換方向（米粒の搬送先）が各切換弁にそれぞれ指示される。搬送機排出口切換弁及び研米機供給切換弁の切換方向が各切換弁にそれぞれ指示されると、搬送機排出口切換弁が高揚した米粒の搬送先を精米機又は研米機に切り換えると共に、研米機供給切換弁が精米機によって処理された後の白米の搬送先を研米機又は集積タンクに切り換える。
【００１４】
例えば、米粒として玄米に精米処理及び研米処理を施す場合には、切換スイッチが操作されることで上記の切換方向が搬送機排出口切換弁及び研米機供給切換弁に指示されて上記高揚した米粒（玄米）の搬送先が精米機へと切り換わると共に上記精米機によって処理された後の白米の搬送先が研米機に切り換わる。この場合には、高揚した玄米が精米機へ搬送され、精米機へ搬送された玄米は精米処理されて白米とされ、さらに、精米機によって処理された後の白米は、研米機に搬送される。この白米は、研米機によって、表面に付着している糠粉が取り除かれ、光沢のあるきれいな白米（水でさっと軽く洗うだけで炊飯できる所謂簡易無洗米）とされる。次いで、この簡易無洗米は集積タンクから装置外に排出され、装置の利用者に提供される。
【００１５】
このように、請求項１記載の自動精米装置では、玄米を張込ホッパに投入して、水でさっと軽く洗うだけで炊飯できる簡易無洗米を得たいという装置の利用者のニーズに対応することができる。
【００１６】
また、米粒として玄米に精米処理のみを施す場合には、切換スイッチが操作されることで上記の切換方向が搬送機排出口切換弁及び研米機供給切換弁に指示されて上記高揚した米粒（玄米）の搬送先が精米機へと切り換わると共に上記精米機によって処理された後の白米の搬送先が集積タンクに切り換わる。この場合には、高揚した玄米は、精米機へ搬送されて処理されて白米とされ、その後、研米機を経ずに集積タンクに搬送されて装置外に排出され、装置の利用者に提供される。
【００１７】
従って、玄米を張込ホッパに投入して、精米処理のみ施された白米を得たいという装置の利用者のニーズにも対応することができる。
【００１８】
また、米粒として研米処理の施されていない白米に研米処理を施す場合には、切換スイッチが操作されることで搬送機排出口切換弁の切換方向が搬送機排出口切換弁に指示されて上記高揚した米粒（研米処理の施されていない白米）の搬送先が研米機へと切り換わり、高揚した上記白米が研米機へ搬送される。すなわち、この白米は、精米機を経ずに搬送機から直接に研米機へと搬送される。この白米には、以後、前述と同様に、研米機によって研米処理が施され、研米処理された後の白米（簡易無洗米）は集積ホッパから装置外に排出され、装置の利用者に提供される。なお、この場合においては、研米機供給切換弁によって米粒（白米）が搬送されることはないため、研米機供給切換弁の切換方向を必ずしも指示する構成としなくてよい。
【００１９】
従って、研米処理の施されていない白米を張込ホッパに投入して簡易無洗米を得たいという装置の利用者のニーズにも対応することができる。
【００２０】
なお、研米機としては種々の型式のものが適用可能であるが、例えば、研米処理を白米同士の研磨作用によって行う摩擦式のタイプ（特開２００１−４６８８９号公報）や、研米処理をブラシによって行うブラシ式のタイプ（特開平２−１３５１５２号公報）が好適である。
【００２１】
請求項２に記載の発明に係る自動精米装置は、張込ホッパに投入された米粒を高揚して搬送する搬送機と、搬送された米粒を精米する精米機と、を有し、装置内に投入されたコインに応じて所定時間作動することにより、前記張込ホッパに投入された米粒を精米処理する自動精米装置において、前記精米機によって処理された後の白米が不良品であるか否か又は前記白米群に不良品が含まれるか否かを判定して選別する色彩選別機と、処理された後の前記米粒を装置外に排出する集積タンクと、前記搬送機に設けられ、前記高揚した米粒の搬送先を前記精米機又は前記色彩選別機に切り換える搬送機排出口切換弁と、前記精米機の次工程側に設けられ、前記精米機によって処理された後の白米の搬送先を前記色彩選別機又は前記集積タンクに切り換える色彩選別機供給切換弁と、前記精米処理及び前記選別処理の指示を行うための操作盤に設けられ、前記搬送機排出口切換弁及び前記色彩選別機供給切換弁の切換方向を当該各切換弁に指示する切換スイッチと、を備えたことを特徴とする。
【００２２】
請求項２に記載の発明に係る自動精米装置では、切換スイッチが操作されると、搬送機排出口切換弁及び色彩選別機供給切換弁の切換方向（米粒の搬送先）が各切換弁にそれぞれ指示される。搬送機排出口切換弁及び色彩選別機供給切換弁の切換方向が各切換弁にそれぞれ指示されると、搬送機排出口切換弁が高揚した米粒の搬送先を精米機又は色彩選別機に切り換えると共に、色彩選別機供給切換弁が精米機によって処理された後の白米の搬送先を色彩選別機又は集積タンクに切り換える。
【００２３】
例えば、米粒として玄米に精米処理及び選別処理を施す場合には、切換スイッチが操作されることで上記の切換方向が搬送機排出口切換弁及び色彩選別機供給切換弁に指示されて上記高揚した米粒（玄米）の搬送先が精米機へと切り換わると共に上記精米機によって処理された後の白米の搬送先が色彩選別機に切り換わる。この場合には、高揚した玄米が精米機へ搬送され、精米機へ搬送された玄米は精米処理されて白米とされ、さらに、精米機によって処理された後の白米は、色彩選別機に搬送される。この白米は、色彩選別機によって、白米として不良品であるか否か又は白米群に不良品が含まれるか否かが判定されて選別される。次いで、選別された良品としての白米のみが集積タンクから装置外に排出され、装置の利用者に提供される。
【００２４】
このように、請求項２記載の自動精米装置では、玄米を張込ホッパに投入して、不良な白米を除去した良品としての白米のみを得たいという装置の利用者のニーズに対応することができる。
【００２５】
また、米粒として玄米に精米処理のみを施す場合には、切換スイッチが操作されることで上記の切換方向が搬送機排出口切換弁及び色彩選別機供給切換弁に指示されて上記高揚した米粒（玄米）の搬送先が精米機へと切り換わると共に上記精米機によって処理された後の白米の搬送先が集積タンクに切り換わる。この場合には、高揚した玄米は、精米機へ搬送されて処理されて白米とされ、その後、色彩選別機を経ずに集積タンクに直接に搬送されて装置外に排出され、装置の利用者に提供される。
【００２６】
従って、玄米を張込ホッパに投入して、精米処理のみ施された白米を得たいという装置の利用者のニーズにも対応することができる。
【００２７】
また、米粒として選別処理の施されていない白米に選別処理を施す場合には、切換スイッチが操作されることで搬送機排出口切換弁の切換方向が搬送機排出口切換弁に指示されて上記高揚した米粒（選別処理の施されていない白米）の搬送先が色彩選別機へと切り換わり、高揚した上記白米が色彩選別機へ搬送される。すなわち、この白米は、精米機を経ずに搬送機から直接に色彩選別機へと搬送される。この白米には、以後、前述と同様に、色彩選別機によって選別処理が施され、選別処理された後の白米（不良な白米を除去した良品としての白米）は集積ホッパから装置外に排出され、装置の利用者に提供される。なお、この場合においては、色彩選別機供給切換弁によって米粒（白米）が搬送されることはないため、色彩選別機供給切換弁の切換方向を必ずしも指示する構成としなくてよい。
【００２８】
従って、選別処理の施されていない白米を張込ホッパに投入して、不良な白米を除去し良品としての白米のみを得たいという装置の利用者のニーズにも対応することができる。
【００２９】
なお、色彩選別機としては種々の型式のものが適用可能であるが、精米処理後の白米が不良品であるか否かの判定及び不良品の選別を高い精度で行うためには、白米を一次選別（粗選別）した後にさらに二次選別（精選別）して処理する構成の色彩選別機（例えば、本出願人が既に提案している、特開平９−１１３４５４号公報等に示したもの）が好適である。
【００３０】
請求項３に記載の発明に係る自動精米装置は、張込ホッパに投入された米粒を高揚して搬送する搬送機と、搬送された米粒を精米する精米機と、を有し、装置内に投入されたコインに応じて所定時間作動することにより、前記張込ホッパに投入された米粒を精米処理する自動精米装置において、前記精米機によって処理された後の白米を更に研いで前記白米表面に付着している糠粉を取り除く研米機と、前記研米機によって処理された後の白米が不良品であるか否か又は前記白米群に不良品が含まれるか否かを判定して選別する色彩選別機と、処理された後の前記米粒を装置外に排出する集積タンクと、前記搬送機に設けられ、前記高揚した米粒の搬送先を前記精米機、前記研米機、及び前記色彩選別機のうち何れか１つに選択的に切り換える搬送機排出口切換弁と、前記精米機の次工程側に設けられ、前記精米機によって処理された後の白米の搬送先を前記研米機又は前記色彩選別機の供給側へ切り換える研米機供給切換弁と、前記研米機の次工程側に設けられ、前記研米機によって処理された後の白米の搬送先を前記色彩選別機又は前記集積タンクに切り換えると共に、前記研米機供給切換弁によって前記色彩選別機の供給側へ搬送された前記白米を受け継いで前記集積タンクに搬送する色彩選別機供給切換弁と、前記精米処理、前記研米処理、及び前記選別処理の指示を行うための操作盤に設けられ、前記搬送機排出口切換弁、前記研米機供給切換弁、及び色彩選別機供給切換弁の切換方向を当該各切換弁に指示する切換スイッチと、を備えたことを特徴とする。
【００３１】
請求項３に記載の発明に係る自動精米装置では、切換スイッチが操作されると、搬送機排出口切換弁、研米機供給切換弁、及び色彩選別機供給切換弁の切換方向（米粒の搬送先）が各切換弁にそれぞれ指示される。搬送機排出口切換弁、研米機供給切換弁、及び色彩選別機供給切換弁の切換方向が各切換弁にそれぞれ指示されると、搬送機排出口切換弁が高揚した米粒の搬送先を精米機、研米機、及び色彩選別機のうち何れか１つに選択的に切り換えると共に、研米機供給切換弁が精米機によって処理された後の白米の搬送先を研米機又は集積タンクに切り換え、さらに色彩選別機供給切換弁が精米機又は研米機によって処理された後の白米の搬送先を色彩選別機又は集積タンクに切り換える。
【００３２】
例えば、米粒として玄米に精米処理、研米処理、及び選別処理を施す場合には、切換スイッチが操作されることで上記の切換方向が搬送機排出口切換弁、研米機供給切換弁、及び色彩選別機供給切換弁に指示されて上記高揚した米粒（玄米）の搬送先が精米機へと切り換わると共に、上記精米機によって処理された後の白米の搬送先が研米機に切り換わり、さらに上記研米機によって処理された後の白米の搬送先が色彩選別機に切り換わる。この場合には、高揚した玄米が精米機へ搬送され、精米機へ搬送された玄米は精米処理されて白米とされ、さらに、精米機によって処理された後の白米は、研米機に搬送される。この白米は、研米機によって、表面に付着している糠粉が取り除かれ、光沢のあるきれいな白米（水でさっと軽く洗うだけで炊飯できる所謂簡易無洗米）とされる。次いで、この簡易無洗米は、色彩選別機に搬送され、この色彩選別機によって、簡易無洗米として不良品であるか否か又は簡易無洗米群に不良品が含まれるか否かが判定されて選別される。選別された良品としての簡易無洗米のみが集積タンクから装置外に排出され、装置の利用者に提供される。
【００３３】
このように、請求項３記載の自動精米装置では、玄米を張込ホッパに投入して、水でさっと軽く洗うだけで炊飯できる簡易無洗米の中から不良な簡易無洗米を除去した良品としての簡易無洗米のみを得たいという装置の利用者のニーズに対応することができる。
【００３４】
また、米粒として玄米に精米処理及び研米処理を施す場合には、切換スイッチが操作されることで上記の切換方向が搬送機排出口切換弁、研米機供給切換弁、及び色彩選別機供給切換弁に指示されて上記高揚した米粒（玄米）の搬送先が精米機へと切り換わると共に、上記精米機によって処理された後の白米の搬送先が研米機に切り換わり、さらに上記研米機によって処理された後の白米の搬送先が集積タンクに切り換わる。この場合には、高揚した玄米は、精米機へ搬送され精米処理されて白米とされ、さらに、研米機に搬送される。研米機に搬送された白米は、研米処理されて簡易無洗米とされる。次いで、この簡易無洗米は、色彩選別機を経ずに集積タンクに直接に搬送されて装置外に排出され、装置の利用者に提供される。
【００３５】
従って、玄米を張込ホッパに投入して、簡易無洗米を得たいという装置の利用者のニーズにも対応することができる。
【００３６】
また、米粒として玄米に精米処理のみを施す場合には、切換スイッチが操作されることで上記の切換方向が搬送機排出口切換弁、研米機供給切換弁、及び色彩選別機供給切換弁に指示されて上記高揚した米粒（玄米）の搬送先が精米機へと切り換わると共に、上記精米機によって処理された後の白米の搬送先が色彩選別機の供給側に切り換わり、さらに色彩選別機の供給側に搬送された白米の搬送先が集積タンクに切り換わる。この場合には、高揚した玄米は、精米機へ搬送され精米処理されて白米とされ、その後、研米機及び色彩選別機を経ずに集積タンクに搬送されて装置外に排出され、装置の利用者に提供される。
【００３７】
従って、玄米を張込ホッパに投入して、精米処理のみ施された白米を得たいという装置の利用者のニーズにも対応することができる。
【００３８】
また、米粒として研米処理及び選別処理の施されていない白米に研米処理及び選別処理を施す場合には、切換スイッチが操作されることで上記の切換方向が搬送機排出口切換弁及び色彩選別機供給切換弁に指示されて上記高揚した米粒（研米処理及び選別処理の施されていない白米）の搬送先が研米機へと切り換わる共に、上記研米機によって処理された後の白米の搬送先が色彩選別機に切り換わる。この場合には、高揚した上記白米は、精米機を経ずに直接に研米機へ搬送される。この白米は、研米機によって処理されて簡易無洗米とされ、さらに色彩選別機に搬送される。この白米には、以後、前述と同様に、色彩選別機によって選別処理が施され、選別処理された後の簡易無洗米（不良な簡易無洗米を除去した良品としての簡易無洗米）は集積ホッパから装置外に排出され、装置の利用者に提供される。なお、この場合においては、研米機供給切換弁によって米粒（白米）が搬送されることはないため、研米機供給切換弁の切換方向を必ずしも指示する構成としなくてよい。
【００３９】
従って、研米処理及び選別処理の施されていない白米を張込ホッパに投入して、不良な簡易無洗米を除去した良品としての簡易無洗米のみを得たいという装置の利用者のニーズにも対応することができる。
【００４０】
また、米粒として研米処理の施されていない白米に研米処理のみを施す場合には、切換スイッチが操作されることで上記の切換方向が搬送機排出口切換弁及び色彩選別機供給切換弁に指示されて上記高揚した米粒（研米処理の施されていない白米）の搬送先が研米機へと切り換わる共に上記研米機によって処理された後の白米の搬送先が集積タンクに切り換わる。この場合には、高揚した上記白米は、精米機を経ずに直接に研米機へ搬送される。研米機に搬送された白米は、研米処理されて簡易無洗米とされ、さらに色彩選別機を経ずに集積タンクに搬送されて装置外に排出される。なお、この場合においては、研米機供給切換弁によって米粒（白米）が搬送されることはないため、研米機供給切換弁の切換方向を必ずしも指示する構成としなくてよい。
【００４１】
従って、研米処理の施されていない白米を張込ホッパに投入して、簡易無洗米を得たいという装置の利用者のニーズにも対応することができる。
【００４２】
また、米粒として選別処理の施されていない白米に選別処理を施す場合には、切換スイッチが操作されることで上記の切換方向が搬送機排出口切換弁に指示されて上記高揚した米粒（選別処理の施されていない白米）の搬送先が色彩選別機へと切り換わり、高揚した上記白米が精米機及び研米機を経ずに色彩選別機に直接に搬送される。この白米には、以後、前述と同様に、色彩選別機によって選別処理が施され、選別処理された後の白米は集積ホッパから装置外に排出され、装置の利用者に提供される。なお、この場合においては、研米機供給切換弁及び色彩選別機供給切換弁によって米粒（白米）が搬送されることはないため、研米機供給切換弁及び色彩選別機供給切換弁の切換方向を必ずしも指示する構成としなくてよい。
【００４３】
従って、選別処理の施されていない白米を張込ホッパに投入して、不良な白米を除去し良品としての白米のみを得たいという装置の利用者のニーズにも対応することができる。
【００４４】
なお、研米機としては種々の型式のものが適用可能であるが、例えば、研米処理を白米同士の研磨作用によって行う摩擦式のタイプ（特開２００１−４６８８９号公報）や、研米処理をブラシによって行うブラシ式のタイプ（特開平２−１３５１５２号公報）が好適である。
【００４５】
また一方、色彩選別機も研米機と同様に種々の型式のものが適用可能であるが、精米処理後の白米（研米処理後の簡易無洗米である場合を含む）が不良品であるか否かの判定及び不良品の選別を高い精度で行うためには、白米を一次選別（粗選別）した後にさらに二次選別（精選別）して処理する構成の色彩選別機（例えば、本出願人が既に提案している、特開平９−１１３４５４号公報等に示したもの）が好適である。
【００４６】
請求項４に記載の発明に係る自動精米装置は、請求項１乃至請求項３の何れか１項に記載の発明において、前記搬送機と前記精米機との間に設けられ、籾を籾摺り処理して玄米とする籾摺り機を備え、前記搬送機排出口切換弁は、前記高揚した米粒の搬送先の１つに前記籾摺り機も含めて選択的に切換可能に設定した、ことを特徴とする。
【００４７】
請求項４に記載の発明に係る自動精米装置では、籾を籾摺り処理して玄米とする籾摺り機が更に併設されているため、より一層適用の範囲が拡大する。すなわち、切換スイッチからの指示に応じて、搬送機排出口切換弁は、高揚した米粒の搬送先を籾摺り機にも切り換えできる。
【００４８】
このため、張込ホッパに籾を投入して処理したい場合には、切換スイッチが操作されることで搬送機排出口切換弁の切換方向が搬送機排出口切換弁に指示されて上記高揚した米粒（籾）の搬送先が籾摺り機へと切り換わり、高揚した籾が籾摺り機へ搬送される。籾摺り機へ搬送された籾は、当該籾摺り機によって籾摺り処理されて玄米とされ、この後に精米機によって精米処理されて白米とされ、さらにこの白米は、例えば、研米機によって研米処理されたり、あるいは色彩選別機によって選別処理される構成とできる。
【００４９】
このように、請求項４記載の自動精米装置では、籾を張込ホッパに投入して、白米又は簡易無洗米あるいは不良な白米を除去した良品としての白米のみを得たいという装置の利用者のニーズにも対応することができる。
【００５０】
従って、請求項４記載の自動精米装置では、張込ホッパに投入される米粒が籾であってもその他の種類の米粒であってもよく、張込ホッパに投入される米粒の種類を問わず対応することが可能になる。
【００５１】
請求項５に記載の発明に係る自動精米装置は、請求項４に記載の発明において、前記籾摺り機の次工程側に設けられ、前記籾摺り機によって処理された後の玄米の搬送先を前記精米機又は前記集積タンクに切り換える精米機供給切換弁を備え、前記切換スイッチは、前記精米機供給切換弁の切換方向を当該切換弁に指示可能に設定した、ことを特徴とする。
【００５２】
請求項５に記載の発明に係る自動精米装置では、籾摺り機の次工程側に精米機供給切換弁が更に併設されているため、より一層適用の範囲が拡大する。すなわち、切換スイッチからの指示に応じて、精米機供給切換弁は、籾摺り機によって処理された後の米粒（玄米）の搬送先を精米機又は集積タンクに切り換えできる。
【００５３】
このため、張込ホッパに籾を投入して籾摺り処理及び精米処理を施す場合には、切換スイッチが操作されることで精米機供給切換弁の切換方向が精米機供給切換弁に指示されて上記籾摺り機によって処理された後の玄米の搬送先が精米機へと切り換わり、籾摺り機によって処理された後の玄米は、精米機へ搬送される構成とできる。
【００５４】
一方、張込ホッパに籾を投入して籾摺り処理のみを施す場合には、切換スイッチが操作されることで精米機供給切換弁の切換方向が精米機供給切換弁に指示されて上記籾摺り機によって処理された後の玄米の搬送先が集積タンクへと切り換わり、籾摺り機によって処理された後の玄米は、精米機等を経ずに集積タンクに直接に搬送されて装置外に排出される構成とできる。
【００５５】
従って、請求項５記載の自動精米装置では、籾を張込ホッパに投入して、玄米を得たいという装置の利用者のニーズにも対応することができる。
【発明の効果】
【００５６】
本発明に係る自動精米装置は、装置の利用者のニーズに合わせた処理が施された米粒を当該装置の利用者に提供できるという優れた効果を有している。
【発明を実施するための最良の形態】
【００５７】
図１には本発明の実施の形態に係る自動精米装置１０の概略全体構成図が示されている。
【００５８】
自動精米装置１０は、操作室１２Ａと機械室１２Ｂから成る屋外用建物１２を備えている。操作室１２Ａの前面壁に、米粒（籾米Ｍまたは玄米Ｇ、あるいは研米処理または選別処理（これらの処理については後述）の施されていない白米Ｓ）が投入される張込ホッパ１４が操作室１２Ａに露出する状態で設けられている。張込ホッパ１４は米粒搬送用のスクリュウコンベア１５を内蔵しており、さらに、機械室１２Ｂ内に配置された昇降機１６に連結されている。昇降機１６は、張込ホッパ１４へ投入されスクリュウコンベア１５によって供給された米粒を機械室１２Ｂの上部へ持ち上げ搬送できる。
【００５９】
昇降機１６の上端部に設けられた放出口１６Ａには、搬送機排出口切換弁としての切換弁Ｖ１が取り付けられている。この切換弁Ｖ１は、作動することにより、米粒の供給方向（米粒の搬送先）を変更することができる。すなわち、切換弁Ｖ１は、昇降機１６によって持ち上げ搬送された米粒の搬送先を後述する籾摺り機１８、石抜き機２０、研米機３８、及び色彩選別機４４のうち何れか１つに選択的に切り換えて、米粒を供給する。
【００６０】
機械室１２Ｂ内の昇降機１６の側方には、脱ぷ部としての籾摺り機１８が昇降機１６の放出口１６Ａに対応して配置されている。籾摺り機１８は、一対のゴムロール機構を備えたロール式とされており、米粒（籾米Ｍ）の脱ぷ処理ができる。なおこの脱ぷ部は、他の型式のもの例えば、高速回転羽を備えた衝撃式の遠心脱ぷ機であっても差し支えない。
【００６１】
籾摺り機１８の側方には石抜き機２０が配置されており、籾摺り機１８の排出口１８Ａに対応している。このため、籾摺り機１８を経由した後の玄米Ｇは石抜き機２０へ供給されるようになっている。なお、この石抜き機２０は、前述の切換弁Ｖ１にも連結されており、切換弁Ｖ１が作動し米粒の搬送先が石抜き機２０に切り換えられた場合（米粒が玄米Ｇの場合）には、昇降機１６によって持ち上げ搬送された玄米Ｇを直接に（籾摺り機１８を介さないで）受け取ることができる。
【００６２】
石抜き機２０によって石抜き処理（混入していた石を取り除く処理）された玄米Ｇの放出口２０Ａには、精米機供給切換弁としての切換弁Ｖ４が取り付けられている。この切換弁Ｖ４は、作動することにより、米粒の搬送先を変更することができる。すなわち、切換弁Ｖ４は、石抜き機２０によって処理された後の米粒の搬送先を後述する精米機２２または集積タンク２６に切り換えて、米粒を搬送する。
【００６３】
また、機械室１２Ｂ内には、精米部としての精米機２２が石抜き機２０の放出口２０Ａに対応して配置されており、石抜き機２０を経由後の玄米Ｇが供給されるようになっている。精米機２２は、精白ロールを備えた縦型円筒摩擦式とされており、玄米Ｇの精米処理ができる。なおこの精米部は、他の型式のもの例えば、横型円筒式のものや、循環機構を備えた循環式のもの、あるいは金剛砥石ロールを備えた研削式のものであっても差し支えない。
【００６４】
精米機２２によって処理された後の白米Ｈの放出口２２Ａには、研米機供給切換弁としての切換弁Ｖ２が取り付けられている。この切換弁Ｖ２は、作動することにより、白米Ｈの搬送先を変更することができる。すなわち、切換弁Ｖ２は、精米機２２によって処理された後の白米Ｈの搬送先を後述する研米機３８または昇降機４２に切り換えて、白米Ｈを搬送する。
【００６５】
なお、精米機２２の側方には糠回収機２４が配置されており、精米処理の際に発生する米糠を回収し糠袋２５に集積できる。この糠袋２５は自由に取り替えることが可能である。
【００６６】
さらに、精米機２２の下流側には、精米機２２の放出口２２Ａに対応して研米機３８が配置されている。この研米機３８は、精米機２２によって処理された後の白米Ｈを更に研いでこの白米Ｈの表面に付着している糠粉を取り除き、光沢のあるきれいな簡易無洗米ＫＭ（水でさっと軽く洗うだけで炊飯できる白米）とすることができる。なお、この研米機３８は、前述の切換弁Ｖ１にも連結されており、切換弁Ｖ１が作動し米粒の搬送先が研米機３８に切り換えられた場合には、昇降機１６によって持ち上げ搬送された米粒（研米処理の施されていない白米Ｓ）を直接に（籾摺り機１８、石抜き機２０、精米機２２を介さないで）受け取ることができる。
【００６７】
なお、研米機３８としては種々の型式のものが適用可能であるが、乾式タイプのものであれば、研米処理を白米同士の研磨作用によって行う摩擦式のタイプや研米処理をブラシによって行うブラシ式のタイプのものであっても適用できる。
【００６８】
また、この研米機３８によって取り除かれた糠粉は、前述した糠回収機２４によって回収され糠袋２５に集積される。
【００６９】
また一方、研米機３８によって研米された簡易無洗米ＫＭの放出口３８Ａに対応して、昇降機４２が立設されている。昇降機４２は、研米機３８の放出口３８Ａから取り出される簡易無洗米ＫＭを、機械室１２Ｂの上部へ持ち上げ搬送できる。なお、この昇降機４２は、前述の切換弁Ｖ２にも連結されており、切換弁Ｖ２が作動し米粒の搬送先が昇降機４２に切り換えられた場合には、精米機２２によって処理された後の白米Ｈを直接に（研米機３８を介さないで）受け取ることができる。
【００７０】
昇降機４２の上端部に設けられた放出口４２Ａには、色彩選別機供給切換弁としての切換弁Ｖ３が取り付けられている。この切換弁Ｖ３は、作動することにより、精米機２２によって処理された後の白米Ｈや研米機３８によって処理された後の簡易無洗米ＫＭの搬送先を後述する色彩選別機４４または集積タンク２６に切り換えて、上記白米Ｈ、簡易無洗米ＫＭを供給する。
【００７１】
また、昇降機４２の上端部に設けられた放出口４２Ａに対応して色彩選別機４４が配置されている。この色彩選別機４４は、研米機３８によって処理された後の簡易無洗米ＫＭが不良品であるか否か又はこの簡易無洗米ＫＭ群に不良品が含まれるか否かを判定して選別（ここでは、簡易無洗米等の白米の色彩に基づいて選別する所謂色選）することができる。なお、この色彩選別機４４は、前述の切換弁Ｖ１にも連結されており、切換弁Ｖ１が作動し米粒の搬送先が色彩選別機４４に切り換えられた場合には、昇降機１６によって持ち上げ搬送された米粒（選別処理の施されていない白米Ｓ）を直接に（籾摺り機１８、石抜き機２０、精米機２２、研米機３８、昇降機４２を介さないで）受け取ることができる。
【００７２】
なお、色彩選別機４４としては種々の型式のものが適用可能であるが、研米処理の施されていない白米Ｓまたは研米処理後の簡易無洗米ＫＭ（選別処理の施されていない白米Ｓ）が不良品であるか否かの判定及び不良品の選別を高い精度で行うためには、白米Ｓ、簡易無洗米ＫＭを一次選別（粗選別）した後にさらに二次選別（精選別）して処理する構成の色彩選別機（例えば、本出願人が既に提案している、特開平９−１１３４５４号公報等に示したもの）が好適である。
【００７３】
なお、この色彩選別機４４によって不良品として選別された白米Ｓや簡易無洗米ＫＭは、色彩選別機４４の側方に配置された不良米袋（図示省略）に回収されて集積される。この不良米袋は自由に取り替えることが可能である。
【００７４】
また、色彩選別機４４の放出口４４Ａに対応した操作室１２Ａの前面壁には、集積タンク２６が操作室１２Ａに露出する状態で配置されており、色彩選別機４４によって選別処理された後の良品としての白米Ｈや簡易無洗米ＫＭを袋２７に集積できる。なお、この集積タンク２６は、前述の切換弁Ｖ４にも連結されており、切換弁Ｖ４が作動し搬送先が集積タンク２６に切り換えられた場合（しかも米粒が玄米Ｇである場合に限る）には、石抜き機２０によって処理された後の玄米Ｇを直接に（精米機２２、研米機３８、昇降機４２、色彩選別機４４を介さないで）受け取ることができる。また一方、この集積タンク２６は、前述の切換弁Ｖ３にも連結されており、切換弁Ｖ３が作動し精米機２２を経由後の白米Ｈ、研米機３８を経由後の簡易無洗米ＫＭの搬送先が集積タンク２６に切り換えられた場合には、昇降機４２によって持ち上げ搬送された白米Ｈ、簡易無洗米ＫＭを直接に（色彩選別機４４を介さないで）受け取ることができる。
【００７５】
一方、操作室１２Ａの前面壁の張込ホッパ１４の上方には操作パネル２８が配置されている。図２に示す如く、操作パネル２８にはコイン金額識別部３０が設けられている。コイン金額識別部３０では、操作パネル２８に開口する投入口３４が設けられており、所定のコイン（例えば、５０円硬貨、１００円硬貨）が投入でき、これを識別可能である。
【００７６】
またさらに、操作パネル２８には、切換スイッチとしての処理選択ボタン６２、６４、６６、６８が設けられている。
【００７７】
処理選択ボタン６２は、張込ホッパ１４に投入する米粒が籾Ｍである場合（「籾コース」）に対応しており、籾コース籾摺り処理選択ボタン６２Ａと、籾コース精米処理選択ボタン６２Ｂと、籾コース研米処理ボタン６２Ｃと、籾コース色選処理選択処理ボタン６２Ｄとから構成されている。
【００７８】
また、処理選択ボタン６４は、張込ホッパ１４に投入する米粒が玄米Ｇである場合（「玄米コース」）に対応しており、玄米コース精米処理選択ボタン６４Ａと、玄米コース研米処理選択ボタン６４Ｂと、玄米コース色選処理選択ボタン６４Ｃとから構成されている。
【００７９】
また一方、処理選択ボタン６６は、張込ホッパ１４に投入する米粒が研米処理及び選別処理の施されていない白米Ｓである場合（「白米コース」）に対応しており、白米コース研米処理選択ボタン６６Ａと、白米コース色選処理選択ボタン６６Ｂとから構成されている。
【００８０】
また、処理選択ボタン６８は、張込ホッパ１４に投入する米粒が選別処理の施されていない白米Ｓ（研米処理が施されているか否かに拘らない）である場合（「色選コース」）に対応している（以下、この処理選択ボタン６８を色選コース色選処理選択ボタン６８という）。
【００８１】
これらの処理選択ボタン６２、６４、６６、６８は、操作されることで、上述した切換弁Ｖ１、Ｖ２、Ｖ３、Ｖ４の切換方向（米粒の搬送先）を後述する制御装置５０と協働して各切換弁にそれぞれ指示することが可能である。
【００８２】
また、これらの処理選択ボタン６２、６４、６６、６８は、ランプ点灯式とされており、操作された場合に点灯するようになっている。本実施の形態では、例えば、処理選択ボタン６２Ｄが操作された場合には、処理選択ボタン６２Ｄは処理選択ボタン６２Ａ〜６２Ｃと共に点灯する。このように、操作された処理選択ボタンが点灯する際には、この処理選択ボタンの上方に配置されている全ての処理選択ボタンも一緒に点灯する構成となっている（処理選択ボタン６２Ｂ、６２Ｃ、６４Ｂ、６４Ｃ、６６Ｂが操作された場合も同様である）。
【００８３】
以上説明したようなコイン金額識別部３０、処理選択ボタン６２、６４、６６、６８の各々（上記の処理選択ボタン６２Ａ〜６２Ｄ、６４Ａ〜６４Ｃ、６６Ａ〜６６Ｂ、６８）は後述する制御装置５０に接続されている。
【００８４】
図３には上述した処理選択ボタン６２、６４、６６、６８と共に切換スイッチを構成する制御装置５０の概略構成が示されている。制御装置５０は、中央処理装置（ＣＰＵ）５２、リードオンリメモリ（ＲＯＭ）５４、ランダムアクセスメモリ（ＲＡＭ）５６、入力ポート５８、出力ポート６０を含んで構成されている。入力ポート５８には前述のコイン金額識別部３０及び処理選択ボタン６２、６４、６６、６８（処理選択ボタン６２Ａ〜６２Ｄ、６４Ａ〜６４Ｃ、６６Ａ〜６６Ｂ、６８）が接続されている。一方、出力ポート６０には、張込ホッパ１４のスクリュウコンベア１５、昇降機１６、切換弁Ｖ１、Ｖ２、Ｖ３、Ｖ４、籾摺り機１８、石抜き機２０、精米機２２、研米機３８、昇降機４２、及び色彩選別機４４の各駆動モータがそれぞれ接続されている。また、ＲＯＭ５４には、自動精米装置１０の満了作動時間の所定の値および所定の運転プログラムが記憶されており、この運転プログラムに従ってＣＰＵ５２が前記各駆動部を制御する。
【００８５】
次に本実施の形態の作用を説明する。
【００８６】
上記構成の自動精米装置１０を利用する際には、コインをコイン金額識別部３０の投入口３４へ投入すると共に、張込ホッパ１４へ籾米Ｍまたは玄米Ｇ、あるいは研米処理または選別処理の施されていない白米Ｓを投入する。次いで、張込ホッパ１４に投入した米粒の種類及びこの米粒に施したい処理に合わせて処理選択ボタン６２、６４、６６、６８（処理選択ボタン６２Ａ〜６２Ｄ、６４Ａ〜６４Ｃ、６６Ａ〜６６Ｂ、６８）の何れか１つを操作すると、張込ホッパ１４のスクリュウコンベア１５、昇降機１６、切換弁Ｖ１、Ｖ４、Ｖ２、Ｖ３、籾摺り機１８、石抜き機２０、精米機２２、研米機３８、及び昇降機４２の各駆動モータが作動されて運転が開始される。
【００８７】
ここで、処理選択ボタン６２、６４、６６、６８のうち操作されたボタン（処理選択ボタン６２Ａ〜６２Ｄ、６４Ａ〜６４Ｃ、６６Ａ〜６６Ｂ、６８のうち何れか１つ）に応じて切換弁Ｖ１、Ｖ４、Ｖ２、Ｖ３による米粒（籾米Ｍ、玄米Ｇ、研米処理または選別処理の施されていない白米Ｓ）の搬送先が切り換えられる。処理選択ボタン６２（処理選択ボタン６２Ａ〜６２Ｄの何れか１つ）が操作され「籾コース」が選択されると、切換弁Ｖ１による米粒（籾Ｍ）の搬送先が籾摺り機１８に切り換えられる。また、処理選択ボタン６４（処理選択ボタン６４Ａ〜６４Ｃの何れか１つ）が操作され「玄米コース」が選択されると、切換弁Ｖ１による米粒（玄米Ｇ）の搬送先が石抜き機２０に切り換えられる。また、処理選択ボタン６６（処理選択ボタン６６Ａ又は６６Ｂ）が操作され「白米コース」が選択されると、切換弁Ｖ１による米粒（研米処理の施されていない白米Ｓ）の搬送先が研米機３８に切り換えられる。また、処理選択ボタン（色選コース色選処理選択ボタン）６８が操作され「色選コース」が選択されると、切換弁Ｖ１による米粒（選別処理の施されていない白米（簡易無洗米である場合を含む）Ｓ）の搬送先が色彩選別機４４に切り換えられる。
【００８８】
例えば、装置の利用者が処理しようとする米粒が籾Ｍの場合であって籾Ｍを張込ホッパ１４に投入して籾摺り処理、精米処理、研米処理、及び色選処理を施したいときには、張込ホッパ１４に籾Ｍを投入すると共に、籾コース色選処理選択ボタン６２Ｄを操作する。籾コース色選処理選択ボタン６２Ｄが操作された場合には、籾コース色選処理選択ボタン６２Ｄが切換弁Ｖ１、Ｖ４、Ｖ２、Ｖ３の切換方向（米粒の搬送先）を制御装置５０と協働して各切換弁にそれぞれ指示する。この結果、切換弁Ｖ１、Ｖ４、Ｖ２、Ｖ３による米粒の搬送先がそれぞれ籾摺り機１８、精米機２２、研米機３８、色彩選別機４４に切り換わる。これと共に、張込ホッパ１４へ投入された籾米Ｍは、スクリュウコンベア１５及び昇降機１６によって籾摺り機１８へ供給されて脱ぷ処理される。さらに、脱ぷ処理後は、石抜き機２０へ供給される。
【００８９】
石抜き機２０によって石抜きされた米粒（玄米Ｇ）は、さらに精米機２２へ供給される。精米機２２では、玄米Ｇの精米処理が実施される。また、この精米機２２による精米処理の際に発生する米糠は、糠回収機２４によって回収されて糠袋２５に集積される。
【００９０】
さらに、精米機２２によって精米された白米Ｈは、研米機３８へ供給され、この研米機３８によって、当該白米Ｈの表面に付着している糠粉が取り除かれ、光沢のあるきれいな簡易無洗米ＫＭ（水でさっと軽く洗うだけで炊飯できる白米）とされる。
【００９１】
研米機３８によって処理された簡易無洗米ＫＭは、昇降機４２によって持ち上げ搬送されて色彩選別機４４へ供給され、この色彩選別機４４によって、簡易無洗米ＫＭが不良品であるか否か又はこの簡易無洗米ＫＭ群に不良品が含まれるか否かが判定されて選別される。なお、色彩選別機３８によって不良品として選別された簡易無洗米ＫＭ（例えば、天候や虫の害により茶色・黒色等に変色したもの）は、図示しない不良米袋に回収されて集積される。
【００９２】
色彩選別機４４の放出口４４Ａから排出された良品としての簡易無洗米ＫＭは、集積タンク２６へ送り出され、袋２７に集積されて、装置の利用者に提供される。
【００９３】
以上の工程が順次実施され、投入されたコインに応じた所定時間経過した後に装置が停止される。
【００９４】
このように、本実施の形態に係る自動精米装置１０では、張込ホッパ１４に籾Ｍを投入して、水でさっと軽く洗うだけで炊飯できる簡易無洗米ＫＭの中から不良な簡易無洗米ＫＭを除去した良品としての簡易無洗米ＫＭのみを得たいという装置の利用者のニーズに対応することができる。
【００９５】
以下、他の処理選択ボタンを操作した場合について説明するが、籾摺り機１８、石抜き機２０、精米機２２、研米機３８、色彩選別機４４で米粒に施される処理については、上述した場合と同様であるため、その説明を省略し、米粒の搬送経路を主として簡潔に説明する。
【００９６】
例えば、装置の利用者が処理しようとする米粒が籾Ｍの場合であって籾Ｍを張込ホッパ１４に投入して籾摺り処理、精米処理、及び研米処理を施したいときには、張込ホッパ１４に籾Ｍを投入すると共に、籾コース研米処理選択ボタン６２Ｃを操作する。籾コース研米処理選択ボタン６２Ｃが操作された場合には、籾コース研米処理選択ボタン６２Ｃが切換弁Ｖ１、Ｖ４、Ｖ２、Ｖ３の切換方向を制御装置５０と協働して各切換弁にそれぞれ指示し、切換弁Ｖ１、Ｖ４、Ｖ２、Ｖ３による米粒の搬送先がそれぞれ籾摺り機１８、精米機２２、研米機３８、集積タンク２６に切り換わる。このため、張込ホッパ１４に投入された米粒は、張込ホッパ１４→昇降機１６→籾摺り機１８→石抜き機２０→精米機２２→研米機３８→昇降機４２→集積タンク２６という経路をたどる。
【００９７】
従って、張込ホッパ１４に籾Ｍを投入して、水でさっと軽く洗うだけで炊飯できる簡易無洗米ＫＭを得たいという装置の利用者のニーズにも対応することができる。
【００９８】
また、装置の利用者が処理しようとする米粒が籾Ｍの場合であって籾Ｍを張込ホッパ１４に投入して籾摺り処理及び精米処理を施したいときには、張込ホッパ１４に籾Ｍを投入すると共に、籾コース精米処理選択ボタン６２Ｂを操作する。籾コース精米処理選択ボタン６２Ｂが操作された場合には、籾コース精米処理選択ボタン６２Ｂが切換弁Ｖ１、Ｖ４、Ｖ２、Ｖ３の切換方向を制御装置５０と協働して各切換弁にそれぞれ指示し、切換弁Ｖ１、Ｖ４、Ｖ２、Ｖ３による米粒の搬送先がそれぞれ籾摺り機１８、精米機２２、昇降機４２、集積タンク２６に切り換わる。このため、張込ホッパ１４に投入された米粒は、張込ホッパ１４→昇降機１６→籾摺り機１８→石抜き機２０→精米機２２→昇降機４２→集積タンク２６という経路をたどる。
【００９９】
従って、張込ホッパ１４に籾Ｍを投入して、白米Ｈを得たいという装置の利用者のニーズにも対応することができる。
【０１００】
また、装置の利用者が処理しようとする米粒が籾Ｍの場合であって籾Ｍを張込ホッパ１４に投入して籾摺り処理のみを施したいときには、張込ホッパ１４に籾Ｍを投入すると共に、籾コース籾摺り処理選択ボタン６２Ａを操作する。籾コース籾摺り処理選択ボタン６２Ａが操作された場合には、籾コース籾摺り処理選択ボタン６２Ａが切換弁Ｖ１、Ｖ４、Ｖ２、Ｖ３の切換方向を制御装置５０と協働して各切換弁にそれぞれ指示し、切換弁Ｖ１、Ｖ４、Ｖ２、Ｖ３による米粒の搬送先がそれぞれ籾摺り機１８、集積タンク２６、研米機３８、色彩選別機４４に切り換わる。このため、張込ホッパ１４に投入された米粒は、張込ホッパ１４→昇降機１６→籾摺り機１８→石抜き機２０→集積タンク２６という経路をたどる。
【０１０１】
従って、張込ホッパ１４に籾Ｍを投入して、玄米Ｇを得たいという装置の利用者のニーズにも対応することができる。
【０１０２】
なお、この場合では、切換弁Ｖ２、Ｖ３によって米粒が搬送されることはないため、必ずしも切換弁Ｖ２、Ｖ３の切換方向を上記のように限る必要はなく、また切換弁Ｖ２、Ｖ３の切換方向を指示しない構成でもよい。
【０１０３】
また、装置の利用者が処理しようとする米粒が玄米Ｇの場合であって玄米Ｇを張込ホッパ１４に投入して精米処理、研米処理、及び色選処理を施したいときには、張込ホッパ１４に玄米Ｇを投入すると共に、玄米コース色選処理選択ボタン６４Ｃを操作する。玄米コース色選処理選択ボタン６４Ｃが操作された場合には、玄米コース色選処理選択ボタン６４Ｃが切換弁Ｖ１、Ｖ４、Ｖ２、Ｖ３の切換方向を制御装置５０と協働して各切換弁にそれぞれ指示し、切換弁Ｖ１、Ｖ４、Ｖ２、Ｖ３による米粒の搬送先がそれぞれ石抜き機２０、精米機２２、研米機３８、色彩選別機４４に切り換わる。このため、張込ホッパ１４に投入された米粒は、張込ホッパ１４→昇降機１６→石抜き機２０→精米機２２→研米機３８→昇降機４２→色彩選別機４４→集積タンク２６という経路をたどる。
【０１０４】
従って、張込ホッパ１４に玄米Ｇを投入して、水でさっと軽く洗うだけで炊飯できる簡易無洗米ＫＭの中から不良な簡易無洗米ＫＭを除去した良品としての簡易無洗米ＫＭのみを得たいという装置の利用者のニーズにも対応することができる。
【０１０５】
また、装置の利用者が処理しようとする米粒が玄米Ｇの場合であって玄米Ｇを張込ホッパ１４に投入して精米処理、及び研米処理を施したいときには、張込ホッパ１４に玄米Ｇを投入すると共に、玄米コース研米処理選択ボタン６４Ｂを操作する。玄米コース研米処理選択ボタン６４Ｂが操作された場合には、玄米コース研米処理選択ボタン６４Ｂが切換弁Ｖ１、Ｖ４、Ｖ２、Ｖ３の切換方向を制御装置５０と協働して各切換弁にそれぞれ指示し、切換弁Ｖ１、Ｖ４、Ｖ２、Ｖ３による米粒の搬送先がそれぞれ石抜き機２０、精米機２２、研米機３８、集積タンク２６に切り換わる。このため、張込ホッパ１４に投入された米粒は、張込ホッパ１４→昇降機１６→石抜き機２０→精米機２２→研米機３８→昇降機４２→集積タンク２６という経路をたどる。
【０１０６】
従って、張込ホッパ１４に玄米Ｇを投入して、水でさっと軽く洗うだけで炊飯できる簡易無洗米ＫＭを得たいという装置の利用者のニーズにも対応することができる。
【０１０７】
また、装置の利用者が処理しようとする米粒が玄米Ｇの場合であって玄米Ｇを張込ホッパ１４に投入して精米処理のみを施したいときには、張込ホッパ１４に玄米Ｇを投入すると共に、玄米コース精米処理選択ボタン６４Ａを操作する。玄米コース精米処理選択ボタン６４Ａが操作された場合には、玄米コース精米処理選択ボタン６４Ａが切換弁Ｖ１、Ｖ４、Ｖ２、Ｖ３の切換方向を制御装置５０と協働して各切換弁にそれぞれ指示し、切換弁Ｖ１、Ｖ４、Ｖ２、Ｖ３による米粒の搬送先がそれぞれ石抜き機２０、精米機２２、昇降機４２、集積タンク２６に切り換わる。このため、張込ホッパ１４に投入された米粒は、張込ホッパ１４→昇降機１６→石抜き機２０→精米機２２→昇降機４２→集積タンク２６という経路をたどる。
【０１０８】
従って、張込ホッパ１４に玄米Ｇを投入して、白米Ｈを得たいという装置の利用者のニーズにも対応することができる。
【０１０９】
また、装置の利用者が処理しようとする米粒が研米処理及び選別処理の施されていない白米Ｓの場合であってこの白米Ｓを張込ホッパ１４に投入して研米処理及び選別処理を施したいときには、張込ホッパ１４に研米処理及び選別処理の施されていない白米Ｓを投入すると共に、白米コース色選処理選択ボタン６６Ｂを操作する。白米コース色選処理選択ボタン６６Ｃが操作された場合には、白米コース色選処理選択ボタン６６Ｂが切換弁Ｖ１、Ｖ４、Ｖ２、Ｖ３の切換方向を制御装置５０と協働して各切換弁にそれぞれ指示し、切換弁Ｖ１、Ｖ４、Ｖ２、Ｖ３による米粒の搬送先がそれぞれ研米機３８、精米機２２、研米機３８、色彩選別機４４に切り換わる。このため、張込ホッパ１４に投入された米粒は、張込ホッパ１４→昇降機１６→研米機３８→昇降機４２→色彩選別機４４→集積タンク２６という経路をたどる。
【０１１０】
従って、張込ホッパ１４に研米処理及び選別処理の施されていない白米Ｓを投入して、水でさっと軽く洗うだけで炊飯できる簡易無洗米ＫＭの中から不良な簡易無洗米ＫＭを除去した良品としての簡易無洗米ＫＭのみを得たいという装置の利用者のニーズにも対応することができる。
【０１１１】
なお、この場合では、切換弁Ｖ２、Ｖ４によって米粒が搬送されることはないため、必ずしも切換弁Ｖ２、Ｖ４の切換方向を上記のように限る必要はなく、また切換弁Ｖ２、Ｖ４の切換方向を指示しない構成でもよい。
【０１１２】
また、装置の利用者が処理しようとする米粒が研米処理の施されていない白米Ｓの場合であってこの白米Ｓを張込ホッパ１４に投入して研米処理のみを施したいときには、張込ホッパ１４に研米処理の施されていない白米Ｓを投入すると共に、白米コース研米処理選択ボタン６６Ａを操作する。白米コース研米処理選択ボタン６６Ａが操作された場合には、白米コース研米処理選択ボタン６６Ａが切換弁Ｖ１、Ｖ４、Ｖ２、Ｖ３の切換方向を制御装置５０と協働して各切換弁にそれぞれ指示し、切換弁Ｖ１、Ｖ４、Ｖ２、Ｖ３による米粒の搬送先がそれぞれ研米機３８、精米機２２、研米機３８、集積タンク２６に切り換わる。このため、張込ホッパ１４に投入された米粒は、張込ホッパ１４→昇降機１６→研米機３８→昇降機４２→集積タンク２６という経路をたどる。
【０１１３】
従って、張込ホッパ１４に研米処理の施されていない白米Ｓを投入して、簡易無洗米ＫＭを得たいという装置の利用者のニーズにも対応することができる。
【０１１４】
なお、この場合では、切換弁Ｖ２、Ｖ４によって米粒が搬送されることはないため、必ずしも切換弁Ｖ２、Ｖ４の切換方向を上記のように限る必要はなく、また切換弁Ｖ２、Ｖ４の切換方向を指示しない構成でもよい。
【０１１５】
また、装置の利用者が処理しようとする米粒が選別処理の施されていない白米Ｓの場合であってこの白米Ｓを張込ホッパ１４に投入して選別処理を施したいときには、張込ホッパ１４に選別処理の施されていない白米Ｓを投入すると共に、色選コース色選処理選択ボタン６８を操作する。色選コース色選処理選択ボタン６８が操作された場合には、色選コース色選処理選択ボタン６８が切換弁Ｖ１、Ｖ４、Ｖ２、Ｖ３の切換方向を制御装置５０と協働して各切換弁にそれぞれ指示し、切換弁Ｖ１、Ｖ４、Ｖ２、Ｖ３による米粒の搬送先がそれぞれ色彩選別機４４、精米機２２、研米機３８、色彩選別機４４に切り換わる。このため、張込ホッパ１４に投入された米粒は、張込ホッパ１４→昇降機１６→色彩選別機４４→集積タンク２６という経路をたどる。
【０１１６】
従って、張込ホッパ１４に選別処理の施されていない白米Ｓを投入して、白米Ｈの中から不良な白米Ｈを除去した良品としての白米Ｈのみを得たいという装置の利用者のニーズにも対応することができる。
【０１１７】
なお、この場合では、切換弁Ｖ２、Ｖ３、Ｖ４によって米粒が搬送されることはないため、必ずしも切換弁Ｖ２、Ｖ３、Ｖ４の切換方向を上記のように限る必要はなく、また切換弁Ｖ２、Ｖ３、Ｖ４の切換方向を指示しない構成でもよい。
【０１１８】
以上説明したように、本自動精米装置１０では、張込ホッパ１４に投入される米粒の種類を問わずにこの米粒を処理し、装置の利用者のニーズに適切に対応することができる。従って、装置の利用者のニーズに合わせた処理が施された米粒を当該装置の利用者に提供できる
なお、本実施の形態では、切換弁Ｖ１による米粒の供給方向を４方向（米粒の搬送先が籾摺り機１８、石抜き機２０、研米機３８、及び色彩選別機４４の何れか１つ）に切り換えるものとしたが、本発明はこれに限らない。
【０１１９】
例えば、切換弁Ｖ１による米粒の搬送先を石抜き機２０または研米機３８に切り換える構成としたり、石抜き機２０または色彩選別機４４に切り換える構成としてもよい（すなわち、米粒の搬送先の中から色彩選別機４４または研米機３８を省略した構成としてもよい）。この場合には、処理コース選択ボタン６２、６４、６６、６８を構成するボタンのうち不要なボタンを省略した簡単な構成とすることができる。
【０１２０】
またさらに、切換弁Ｖ１による米粒の搬送先の中から籾摺り機１８を省略した簡単な構成としてもよい。この場合にも処理コース選択ボタン６２を省略した簡単な構成とすることができる。
【０１２１】
また、本実施の形態では、籾摺り機１８と精米機２２との間に石抜き機２０が配置される構成としたが、石抜き機２０を省略した構成としてもよい。この場合には、精米機供給切換弁としての切換弁Ｖ４を籾摺り機１８の放出口１８Ａに対応させて設ければよい。
【図面の簡単な説明】
【０１２２】
【図１】本発明の実施の形態に係る自動精米装置の概略全体構成図である。
【図２】本発明の実施の形態に係る自動精米装置の操作パネルの正面図である。
【図３】本発明の実施の形態に係る自動精米装置の制御装置の構成図である。
【符号の説明】
【０１２３】
１０    自動精米装置
１４    張込ホッパ
１６    昇降機（搬送機）
１８    籾摺り機
２０    石抜き機
２２    精米機
３８    研米機
４４    色彩選別機
５０    制御装置（切換スイッチ）
６２    処理コース選択ボタン（切換スイッチ）
６２Ａ  籾コース選択ボタン（切換スイッチ）
６２Ｂ  玄米コース選択ボタン（切換スイッチ）
６２Ｃ  白米コース選択ボタン（切換スイッチ）
６２Ｄ  色選コース選択ボタン（切換スイッチ）
Ｍ      籾米
Ｇ      玄米
Ｈ      白米
ＫＭ    簡易無洗米
Ｓ      装置に投入される白米
Ｖ１    切換弁（搬送機排出口切換弁）
Ｖ２    切換弁（研米機供給切換弁）
Ｖ３    切換弁（色彩選別機供給切換弁）
Ｖ４    切換弁（精米機供給切換弁）
【図１】
2005211752.tif 000003
【図２】
2005211752.tif 000004
【図３】
2005211752.tif 000005